(57)【要約】【課題】放送用データと補助的放送用データの両方を備える放送用信号を受信し処理するためのシステムと方法とを提供する。【解決手段】放送用信号を受信するための一方法は、放送用信号を選択する段階と、前記選択した放送用信号を受信する段階とを含む。前記選択した放送用信号に関するパラメータを決定し、前記パラメータは、補助的放送用データに基づいている。前記パラメータに基づいてスキャン間隔を選定する。【選択図】図１
2007020165.tif 000002
【特許請求の範囲】
【請求項１】
放送用信号を受信するための方法において、
放送用信号を選択する段階と、
前記選択した放送用信号を受信する段階と、
前記選択した放送用信号に関するパラメータを決定する段階と、
前記パラメータに基づいてスキャン間隔を選定する段階と
を備え、
前記パラメータは、補助的放送用データに基づいていることを特徴とする方法。
【請求項２】
前記補助的放送用データは、ＣＣとＥＣＣとＣＴとＰＩとＰＳの内の一つを備えることを特徴とする請求項１記載の方法。
【請求項３】
前記パラメータは、所定のＣＣコードの検出と、所定のＥＣＣコードの検出と、所定のＣＣコードの閾値の数の検出と、所定のＥＣＣコードの閾値の数の検出の内の少なくとも一つに基づくことを特徴とする請求項１記載の方法。
【請求項４】
前記スキャン間隔は、１００ｋＨｚ未満であることを特徴とする請求項１記載の方法。
【請求項５】
前記スキャン間隔は、２００ｋＨｚまたは１００ｋＨｚまたは５０ｋＨｚであることを特徴とする請求項１記載の方法。
【請求項６】
前記パラメータと前記スキャン間隔の内の少なくとも一つを保存する段階をさらに備えることを特徴とする請求項１記載の方法。
【請求項７】
表示部を持ったシステムを用い、さらに、前記スキャン間隔に基づいて前記システムの表示部を変更する段階を備えることを特徴とする請求項１記載の方法。
【請求項８】
放送用信号を受信するための方法において、
放送用信号を選択する段階と、
前記選択した放送用信号を受信する段階と、
前記選択した放送用信号に関するパラメータを決定する段階と、
前記パラメータに基づいてスキャン間隔を選定する段階と
を備え、前記パラメータは、補助的放送用データと位置指示データとユーザー選択の内の少なくとも一つに基づいていることを特徴とする方法。
【請求項９】
前記位置指示データは、ＧＰＳデータとＣＴデータの内の少なくとも一つであることを特徴とする請求項８記載の方法。
【請求項１０】
放送用信号を受信するための方法において、
放送用信号を選択する段階と、
前記選択した放送用信号を受信する段階と、
前記選択した放送用信号に関するパラメータを決定する段階と、
前記選択した放送用信号に優先順位を付ける段階と、
前記パラメータをメモリ内に保存する段階と、
前記パラメータに基づいてスキャン間隔を選定する段階と
前記パラメータと付けられた優先順位の内の少なくとも一つに関連した、前記メモリ内の入力の正当性を評価する段階と、
前記正当性に基づいて前記入力を変更する段階と
を備え、前記パラメータは、補助的放送用データに基づいていることを特徴とする方法。
【請求項１１】
前記パラメータは、ある場所で放送用信号が存在することと、放送用信号の強度と、放送用信号内に補助的データが存在することと、補助的データ誤り率と、時間平均を取った信号品質と、停止ビットと、中心のチャネル上データと、雑音比と、放送用信号がユーザーの希望するプログラムデータを持っているかどうかと、履歴パラメータデータと、ＲＤＳデータの内の少なくとも一つを、さらに備えていることを特徴とする請求項１０記載の方法。
【請求項１２】
ＲＤＳデータは、ＣＣと、ＥＣＣと、ＣＴと、ＰＩと、ＰＳの内の少なくとも一つを、さらに備えていることを特徴とする請求項１１記載の方法。
【請求項１３】
前記スキャン間隔は、所定のＣＣコードの検出と、所定のＥＣＣコードの検出と、所定のＣＣコードの閾値の数の検出と、所定のＥＣＣコードの閾値の数の検出の内の少なくとも一つに基づいて決定されることを特徴とする請求項１０記載の方法。
【請求項１４】
前記スキャン間隔は、１００ｋＨｚ未満であることを特徴とする請求項１０記載の方法。
【請求項１５】
前記スキャン間隔は、２００ｋＨｚと１００ｋＨｚと５０ｋＨｚの内の一つであることを特徴とする請求項１０記載の方法。
【請求項１６】
前記評価する段階において、前記正当性は、
前記優先順位が低い優先順位であった期間と、前記パラメータが前記入力と衝突するかどうかと、前記パラメータが前記スキャン間隔と矛盾するかどうかと、ＰＩデータと、ＲＦレベルと、時間平均を取った信号品質と、停止ビットデータと、チャネルの中心上のデータと、雑音比との内の少なくとも一つに基づいていることを特徴とする請求項１０記載の方法。
【請求項１７】
前記評価の段階において、ヒステリシス因子が前記パラメータに適用されることを特徴とする請求項１０記載の方法。
【請求項１８】
前記ヒステリシス因子は、前記スキャン間隔に基づいていることを特徴とする請求項１７記載の方法。
【請求項１９】
表示部を持ったシステムを用い、さらに、前記スキャン間隔に基づいてシステムの表示部を変更する段階を備えること特徴とする請求項１０記載の方法。
【請求項２０】
放送用信号を受信するための方法において、
第１放送用信号を選択する段階と、
前記選択した第１放送用信号を受信する段階と、
前記第１放送用信号に関する第１パラメータを決定する段階と、
第２放送用信号を選択する段階と、
前記選択した第２放送用信号を受信する段階と、
前記選択した第２放送用信号に関する第２パラメータを決定する段階と、
前記第１パラメータと前記第２パラメータとを比較する段階と、
前記選択した第１放送用信号と前記選択した第２放送用信号の内の一つを、前記比較に基づいて選定する段階と、
選定した選択済み放送用信号に関連するパラメータを保存する段階と、
前記選定した選択済み放送用信号のパラメータに基づいてスキャン間隔を選定する段階と
を備え、
前記第１パラメータは、補助的放送用データに基づいており、
前記第２パラメータは、補助的放送用データに基づいていることを特徴とする方法。
【請求項２１】
前記第１パラメータおよび第２パラメータは、ＲＤＳデータと、放送用信号の強度と、放送用信号がスキャンされた回数と、補助的データ誤り率と、時間平均を取った信号品質と、即時平均のＲＤＳの質、信号品質の内の少なくとも一つであることを特徴とする請求項２０記載の方法。
【発明の詳細な説明】
【技術分野】
【０００１】
本発明は、ＦＭラジオ放送のような放送用信号の受信に関し、さらに詳細には、放送用データと補助的放送用データの両方を備える放送用信号を受信し処理するためのシステムと方法とに関する。
【背景技術】
【０００２】
ＦＭラジオ信号を受信し、含まれたメタデータを復号することのできるシステムは、受信した放送あるいは他の受信可能な放送に関する追加情報を提供することができる。そのような補助的なデータは、典型的な例では、ＲＤＳ（欧州では良く知られたラジオデータシステムの意、北米標準はラジオデータ放送システムとして知られる、しかし共に習慣的にＲＤＳと呼ばれる）標準に則った放送である。
【０００３】
放送用信号は、典型的な例では、放送用スペクトル内で固定した間隔で送信される。米国では、ＦＭ信号は通常１００ｋＨｚ間隔で放送されるが、欧州では殆ど間隔は１００ｋＨｚである。ＲＤＳデータ送信の標準はこの間隔を反映しており、ＲＤＳ復号システムは典型的な例では、予想される１００ｋＨｚまたは２００ｋＨｚ間隔でデータを受信できるように構成される。
【０００４】
多くの放送システムは、従来のラジオ放送に関する補助的データを送信することができる。この補助的放送用データによって、受信システムは、受信した放送プログラムに関する、または他の受信可能な放送信号に関する追加情報を与えられる。その種のシステムの例として、欧州のラジオデータシステム（ＲＤＳ）と、関連する北米のラジオ放送用データシステム（ＲＢＤＳ）がある。その種の補助的データには、プログラムが放送されるものであることを示すプログラム識別子（ＰＩ或いはプログラム標識）、これはプログラムの地域的な利用可否を確認するのに使用することもできる、及び／または；プログラムサービス名（ＰＳ、またはプログラムサービス名、典型的な例では放送局の呼出符号）及び／または；ジャンル或いはプログラムの種類（ＰＴＹ、またはプログラムの種別）及び／または；代替周波数一覧表（ＡＦ、または代替周波数一覧表）及び／または；トラフィック状態の通知が所定の時間に放送されるか（ＴＡ，またはトラフィック通知フラグ）、ある周波数上で広く利用可能か（ＴＰ，またはトラフィックプログラムフラグ）、及び／または；時刻（ＣＴ、またはクロック時間と日付）及び／または；送信器の裁量に任された自由な大きさのテキスト領域（ＲＴ、またはラジオテキスト）及び／または；他の局に関する情報（ＴＭＣ、或いはトラフィックメッセージチャネル）及び／または；他の局に関する情報（ＥＯＮ、或いは拡張された他ネットワークの情報）及び／または;送信元の国に関する情報（ＥＣＣ、または拡張型国別コード）及び／または；プログラム項目番号（ＰＩＮ、またはプログラム項目番号）、これは特定のプログラムに特有の識別子をＰＩまたはＰＩＮによって許可する、及び／または；音楽や会話が放送されたかどうかのような、内容に関するデータと音声信号の符号化（ＭＳ、または音楽会話スイッチ）及び／または；受信システムに個々の復号器をオンまたはオフさせることを許可する、あるいはＰＴＹ符号が動的であるかどうかを示すデータ（ＤＩ、復号器識別子）が含まれるだろう。
【０００５】
【特許文献１】米国特許出願公開第２００４／０１１０５２２号明細書
【発明の開示】
【課題を解決するための手段】
【０００６】
本発明の一側面によると、放送用信号を受信するための一方法は、放送用信号を選択する段階と、選択した放送用信号を受信する段階と、前記選択した放送用信号に関するパラメータを決定する段階と、パラメータに基づいてスキャン間隔を選択する段階とを含み、前記パラメータは、補助的放送用データに基づいている。
【０００７】
本発明の他の側面によると、放送用信号を受信するための一方法は、放送用信号を選択する段階と、選択した放送用信号を受信する段階と、前記選択した放送用信号に関するパラメータを決定する段階と、パラメータに基づいてスキャン間隔を選択する段階とを含み、前記パラメータは、補助的放送用データと位置を示すデータとユーザーの選択の少なくとも１つに基づいている。
【０００８】
本発明の他の側面によると、放送用信号を受信するための一方法は、放送用信号を選択する段階と、選択した放送用信号を受信する段階と、前記選択した放送用信号に関するパラメータを決定する段階と、選択した放送用信号に優先順位を付ける段階と、パラメータをメモリ内に保存する段階と、パラメータに基づいてスキャン間隔を選択する段階と、前記パラメータと優先順位の少なくとも１つに関連して、メモリ内のエントリーの正当性を判断する段階と、判断した正当性に基づいてエントリーを変更する段階とを含み、前記パラメータは、補助的放送用データに基づいている。
【０００９】
本発明の他の側面によると、放送用信号を受信するための一方法は、第１放送用信号を選択する段階と、選択した第１放送用信号を受信する段階と、第１放送信号に関する第１パラメータを決定する段階と、第２放送用信号を選択する段階と、選択した第２放送用信号を受信する段階と、第２放送用信号に関する第２パラメータを決定する段階と、第１パラメータと第２パラメータを比較する段階と、第１放送用信号と第２放送用信号の内の１つを前記比較に基づいて選択する段階と、選択した放送用信号に関するパラメータを保存する段階と、選択した放送用信号のパラメータに基づいてスキャン間隔を選択する段階とを含み、前記第１パラメータは補助的放送用データに基づき、前記第２パラメータは補助的放送用データに基づく。
【００１０】
本発明の他の特徴と目的と利点とは、添付の図面と共に以下の説明を読むことで明らかになるだろう。
【発明を実施するための最良の形態】
【００１１】
本発明のシステムと方法によって、プログラムデータとそれに関連した補助的データを備える多くの放送用信号を受信し処理することができる。放送用信号には、ＡＭやＦＭやＶＨＦやＵＨＦの送信のような信号、あるいはＸＭラジオやＨＤラジオ（Ibiquity, Inc.で作られるディジタルラジオやＩＢＯＣとしても知られる）や他の既知のラジオ周波数のような衛星放送信号、あるいは無線放送用信号の類が含まれる。放送用信号には、ネットワーク上のストリーミング音声も含まれ、これは例えばインターネットの音楽サーバーあるいはインターネットラジオによって提供され得る。放送用信号は、アナログ或いはディジタル形式で良い。放送用信号は、また、１９９８年４月９日付けの米国ＲＢＤＳ標準に準拠して符号化及び変調されたプログラム及び補助的データも含まれよう。プログラムと補助的データはアナログ或いはディジタルで良いし、何らかの方法でディジタルビットストリームによって変調されたアナログ信号でも良い。補助的データは、どのようなプロトコルまたはフォーマットで送信されたＲＤＳデータ或いは他の付随のデータで良い。
【００１２】
図１は、放送用信号をスキャンし特徴付ける方法１００の流れブロック図を表したものである。本方法によって、参考のためにここに組み入れる特許文献１に記載される多数の受信器／チューナーのシステムのようなシステムは、受信可能な放送用信号のある範囲を周期的に繰り返し、それらの放送用信号に関するパラメータを更新することができる。一実施形態において、システムは、プロセッサの指示において、第１受信器でＦＭ放送を受信し（以降、“表側（foreground）受信器”による“表側信号”の“表側受信”と呼ぶ）、一方同時に、第２受信器で他の受信可能な放送用信号に関するデータを集める（以降、“裏側（background）受信器”による“裏側信号”の“裏側受信”と呼ぶ）のに使用することができる。方法１００によって、受信可能な放送用信号の裏側スキャンと、裏側信号からの補助的放送用データの収集が可能になる。パラメータは、裏側受信器によって受信される放送用信号の範囲に関して、補助的データが表側受信器内で受信されるかどうかに係わらず決定することができる。
【００１３】
第１に、放送用信号は、例えばＦＭ周波数帯内で受信可能な周波数全てといった信号の範囲から選択される（１０２）。次に、選択された放送用信号が受信されて（１０４）、その放送用信号に関するパラメータを決定することができる（１０６）。パラメータの中には、例えば、特定の場所における放送用信号が存在するかどうか（例えば所定の周波数で）や、信号の強度や、放送用信号内の補助的データが存在するかどうか（例えば、ＲＤＳデータ）や、補助的データ誤り率や、プログラム標識符号や、プログラム種別の値が含まれる。パラメータの中には、ＰＩやＰＳやＰＴＹやＡＦやＴＰ／ＴＡやＴＭＣやＲＴなどの放送用信号に関連する補助的データの値も含まれる。
【００１４】
次に、決定されたパラメータに基づいて放送用信号に優先順位が付けられる（１０８）。この付けられた優先順位は、放送用信号に割り当てられるスキャン時間の長さを決定するのに使用されるが、これは後述する。
【００１５】
次に、各放送用信号の信号品質（signal quality）を示す値が決定される（１１０）。この信号品質を示す値は、最上位の優先順位を持つ放送用信号を、さらに格付けするのに使用することができる。この信号品質の計算は、後述する。
【００１６】
パラメータ、つまり各放送用信号に対して付けた優先順位と決定した信号品質は、メモリ内に保存される（１１２）。最後に、次の放送用信号が選択され（１１４）、以上のサイクルが繰り返されるだろう。方法１００を循環的に繰り返すことで、受信可能な各放送用信号に関するパラメータは、時間と共に再決定され更新されることができる。
【００１７】
受信可能な各放送用信号を連続的にスキャンし、そのパラメータを決定するのに要する時間の総量によって、各放送用信号に対して有用なパラメータ値を維持することが難しくなる。例えば、補助的データを受信するのに必要な時間の総量は、特定の時刻（例えば、ある曲が再生される時）に送信されるデータの総量とデータ送信速度とに依存する。ＲＤＳシステムにおいて、典型的な例として、５７ｋＨｚの搬送波が変調されて、全体的に１秒あたり１１８７.５ビットのデータ送信速度を提供する。ＲＤＳ標準によると、放送される補助的データの最小量（もし補助的データが放送されるならば）は、１グループもしくは１０４ビットである。２つ以上の独自のデータグループを、特定のプログラムデータと関連して放送することも可能である。米国では、ＦＭ放送に対して１０２の周波数が割り当てられ、欧州では２０６、日本では１４１である。
【００１８】
方法１００に対してプロセッサのデューティサイクルを拡大するために、各放送用信号に付けられた優先順位が、放送用信号に対するスキャン時間をアルゴリズム的に決定するのに使用される。付けられた優先順位に対応するスキャン時間の期間が、各放送用信号に割り当てられる。高い優先順位の付けられた放送用信号は、低い優先順位の付けられた放送用信号よりも、長い時間だけスキャンされる。プロセッサのデューティサイクルを拡大するのに考慮する２つの因子は、（１）放送用信号のいくつかの特徴、例えば或る補助的な放送用データが存在するか否かが、受信可能な各放送用信号に優先順位を付けるのに使用されることと、（２）信号品質を示す値が決定され、それら放送用信号をさらに格付けするのに使用されること、である。
【００１９】
ある補助的な放送用データが存在するか否かと同様にいくつかの信号の特長を、優先順位を付けるのに使用することができる。例えば、より大きな重みが、所定の最小値よりも大きな信号強度を持つ放送用信号に割り当てられる。より大きな重みは、ＡＦ（別の周波数）信号として識別される放送用信号、またはトラフィックの通知を搬送するあるいは現在放送している、または表側受信器によって受信される選択済み放送用信号と同じＰＩ或いは地域ＰＩ符号を持つ、またはＲＴ（ラジオテキスト）またはＥＯＮ（拡大型の他のネットワーク）を搬送する放送用信号にも割り当てることができる。逆に、少ない重みを、例えば、補助的な放送用信号を持たない放送用信号に割り当てることができる。
【００２０】
さらに、付けられた優先順位には、ユーザーの選択を計算に入れなくてはならない。例えば、特許文献１に示されるユーザーインターフェイスのようなユーザーインターフェイスを用いて、ユーザーは、例えばトラフィックの通知を聞きたいという希望を明らかにすることができる。そのような場合、より高位の優先順位が、その情報（例えば、ＴＡまたはＴＰデータ、あるいはＴＭＣデータの検出による）を持っていると判別された放送用信号に割り当てられる。他の例には、代わりの周波数（ＡＦ）に切り替えることを可能にすることと、地域的または非地域的な放送の好みのものを選択することと、分野の好みを設定することと、ＴＭＣデータで放送の好みを選択することが含まれる。
【００２１】
時間と共にパラメータが変化するので、各放送用信号に付けられた優先順位は、格上げしたり格下げしたりできる。より高い優先順位を持つ放送用信号は、結果として、より長いスキャン時間を割り当てることができ、一方、より低い優先順位を持つ放送用信号は、同様により短いデューティサイクル時間を受け取ることができる。一実施形態において、４つの優先順位の内の１つが、ＡとＢとＣとＤに割り当てることができ、ここでＡが最も高位で、Ｄが最も低位である。
【００２２】
図２は、放送用信号に付けられる優先順位を決定するのに実行することのできる試験の表２００を示している。本発明の一実施形態において、この試験は、順番に、放送用信号に最終的に付けられる優先順位を変更する後に続く試験と共に実行することができる。表２００において、“Ｘ”はセル内のパラメータがその試験に対して“don't care”状態であることを示し、“０”は件の列の中のパラメータが検出されないことを意味し、“１”はパラメータが検出されたことを示し、“ＯＲ”はいずれかの条件或いは両方の条件が合致する試験を示している。
【００２３】
試験１では、ＲＦのレベル（列２０６）とＲＤＳデータの現在のパラメータ（列２０８）が検証される。行２２６におけるように、もし検出されたＲＦのレベルが設定した閾値より小さく、かつＲＤＳデータが存在しなければ、放送用信号は、最低位の優先順位Ｄを与えられる（列２２４）。しかし、もしＲＦのレベルが設定した閾値よりも大きいか、あるいはＲＤＳデータが存在すれば、優先順位はＣに設定される（行２２８）。
【００２４】
試験２では、ＴＭＣメッセージが現在送信されている可能性があるか否かを決定する。この決定は、データの“Ｂ”ＲＤＳブロック内に含まれる“３Ａ”または“８Ａ”グループ種別の識別子が存在することを検出することによって行われるが、これはＲＢＤＳ標準の中で説明される通りである。そのような識別子が検出されると、このフラグは、セットされ（１）る（列２２２）。実験による実地試験において、これら識別子の送信は、頻繁ではないことが分かった。一実施形態において、計数器を用いた方法がこの値を消去するのに使用される。放送用信号がスキャンされる回数はメモリに保存され、もし５０回の内に識別子が見付からなければ、“ＴＭＣ可能”値は（０）にリセットされ、もし他の全ての試験がそうであれば、優先順位は下げられる。
【００２５】
試験３は、ラジオテキストが見付かったかどうかを決定し（列２１８）、またラジオテキストデータが完全もしくは有用かどうかを決定する（列２２０）。（“有用な”データは、構文分析が成功する可能性のあるデータであり、後述する。）列２２０にあるデータは、２桁の数字で表されるだろうし、第１の桁はラジオテキスト列が完全である（１）か、不完全である（０）かを示し、第２の桁はテキストデータが構文分析された（１）か、否か（０）を示す。行２３２におけるように、もしラジオテキストが存在し、受信したデータが不完全かつ有用でないならば、優先順位はＢに設定される。もし、ラジオテキストが存在し、データが不完全だが有用である（行２３４）ならば、優先順位はＢに設定される。もし、ラジオテキストが存在し、データは完全だが有用でない（行２３６）ならば、優先順位はＣに戻されて下がる。もし、ラジオテキストが存在し、データが完全かつ有用（行２３８）ならば、優先順位はＢに設定される。
【００２６】
試験４において、もし、裏側で受信された放送用信号が表側チューナーによって受信された放送用信号に関連したＡＦリストに含まれれば、優先順位はＢに設定される（行２４０）。
【００２７】
試験５はトラフィックデータを検出し、ユーザーがＴＰモードを選択すると（即ち、ユーザーがシステムをトラフィックデータを含む局を探すことができるようにする時であって、列２１４“TP Mode On”において１の値で示される）、実行される。もしＴＡデータ（トラフィックデータ）が存在すれば、優先順位はＢに設定される（行２４２）。もしＴＰが検出されると（即ち、周波数はトラフィックデータを放送することができる）、優先順位はＢに設定される（行２４４）。もしＴＰとＴＡの両方が存在すれば（即ち、周波数はトラフィックデータを放送することができ、現在トラフィックデータを放送している）、優先順位はＡに設定される（行２４６）。
【００２８】
試験６は、選択した放送用信号のＰＩ（プログラム識別子）２０４を検出する。もし裏側放送用信号のＰＩが、表側放送用信号のＰＩと一致するが、受信したＲＦレベル（裏側信号の）が閾値より小さく、ＲＤＳの現在のフラグが“０”に設定されると、これは行２４８であるが、優先順位はＢに設定される。もしＰＩが一致し、ＲＦレベルが充分であるか又はＲＤＳデータが受信されると、これは行２５０であるが、優先順位はＡに設定される。その時に存在するＲＤＳデータ無しでのＰＩの一致は可能である、というのは、ＰＩは更新されるまで保存されるからである。例えば、トンネルに入ると、ＲＤＳデータは一時的に消えるが、ＰＩの記録は残ったままである。
【００２９】
最後に、試験７において、もし裏側放送用信号が表側放送用信号と同じならば（行２５２）、優先順位はＡに設定される。
【００３０】
最上位の優先順位を持つ放送用信号のグループの中では、放送用信号の信号品質は、また、裏側スキャンのデューティサイクルの最適化を可能にすると考えられる。例えば、放送局が地理的に密集した地域では、システムがより高い優先順位の範疇へ入れることのできる放送用信号が大量にあるということがある。最高位の信号品質を持った放送用信号がより近くで観察されるというのは筋が通っている、というのは、それらの信号は、恐らくシステムがいつか将来に受信するように仕向けられるだろう放送用信号だからである。
【００３１】
本発明の一実施形態において、信号品質は、瞬間的及び時間平均を取った受信済み信号強度と、受信済み補助的放送用データの瞬間的及び時間平均を取った誤り率の両方の、重み付け平均値として決定することができる。信号品質を計算する多くの等価な方法があり、説明してきた利点を備える信号品質の決定方法の他のいくつかを使用することは可能である。
【００３２】
一実施形態において、ここでは“Ｑ”と呼ぶことにする中間媒介変数に対する値が決定される。Ｑの値は、０ｘ００と０ｘＦＦの間であろう（重み付けの値が正しく調整されていれば）し、従って以下のように計算される。
Ｑ＝［（＜RF_weight＞／255＊‘RF level’]＋[（＜ERROR_weight＞／255）＊‘average RDS block error rate’]
【００３３】
＜RF_weight＞は‘RF level’の重み付け寄与因数である。＜RF_weight＞の適切な値は、実験を通して決定されるだろう。＜RF_weight＞は０ｘ００から０ｘＦＦの間であろう。実験による現場での試験によって、＜RF_weight＞に対する有用な値は０ｘ８０、すなわち５０％の寄与である。
【００３４】
‘RF_level’は裏側チューナーの受信した信号の電界強度に対し縮尺比を変えた整数値である。‘RF_level’は１００個或いは０ｘ６４個の縮尺比を持ち、その数が大きくなるほど、信号の電界強度は強くなる。一実施形態において、６０ｄＢｕＶの電界強度に対して、ＲＦレベルは５６あるいは０ｘ３８であろう。この測定は、裏側周波数がスキャンされる時間枠が完了した時に行われるだろう。
【００３５】
＜ERROR_weight＞は、‘average RDS block error rate’の重み付け寄与因数である。＜ERROR_weight＞に対して適切な値は、実験を通して決定されるだろう。＜ERROR_weight＞は０ｘ００と０ｘＦＦの間の間であろう。実験によって、＜ERROR_weight＞に対して有用な値は０ｘ８０であると分かり、これは５０％の寄与である。
【００３６】
‘RDS block error rate’（“RdsQ”）は、受信される良好なＲＤＳブロック、対、裏側周波数が選択され（２２ミリ秒ごとの１クロックの最大比に基づいて）る時間枠の間に受信される可能性のあるブロック数の比に関するものである。この比は、その後に１００倍されて、百分率で保存されるだろう。‘RDS block error rate’に対する値は０ｘ００と０ｘ６４の間で変化するだろうが、０ｘ６４は可能性のある全てのブロックが、正しいブロックとして正常に受信された（１００％）ことを示す。
【００３７】
受信された各ＲＤＳブロックは、ＲＤＳ復号器によって自動的に誤り訂正され、その受信したブロックが訂正に成功したか否かを報告するだろう。もしそのブロックが訂正に成功しなければ、誤りを持ったものとして計算される。‘average RDS block error rate’は、その後‘RDS block error rate’の移動平均として計算されるだろう。‘RDS block error rate’に対する前の値２つ（RdsQ(k-1)とRdsQ(k-2)）と、‘RDS block error rate’に対する現在の値（RdsQ(k)）とが、次の計算に使用される。
‘average RDS block error rate’＝（RdsQ(k-2)+RdsQ(k-1)+ RdsQ(k)）／３
【００３８】
例えば、以下の値を仮定する。
＜RF_weight＞                    ＝０ｘ８０（１２８）
‘RF level’                     ＝０ｘ４０（６４或いは６８dBuV）
＜ERROR_weight＞                 ＝０ｘ８０（１２８）
‘average RDS block error rate’ ＝０ｘ３２（５０％）
【００３９】
Ｑは、次のように計算することができる。
Ｑ＝（１２８／２５５＊６４）＋（１２８／２５５＊５０）＝５７.２２＝０ｘ３９
【００４０】
Ｑの値は、裏側受信器が放送用信号を選択するたびに、計算されてメモリ内に保存される。Ｑの平均値は、その後、同じ放送用信号に対して、Ｑの前の値とＱの現在の値の平均を取って計算されるだろう。
【表１】
2007020165.tif 000003
【００４１】
時刻Ｔ０において、Ｑの前の値は存在しないため、AVgＱの値は計算されず、Ｑに等しくされる。時刻Ｔ１において、AvgＱの値は、Ｑの値をＴ１とＴ０の時に和を取り、２で除することで計算される。
【００４２】
上で決定した値を用いて、信号品質に対する計算を行うことができる。繰り返すと、２つの重み付け因数の＜Q_weight＞と＜AvgQ_weight＞が使われる。実験によって、＜Q_weight＞に対する有用な値は０ｘ８０であり、＜AvgQ_weight＞に対する有用な値は０ｘ８０であり、それぞれから５０％の寄与であることが分かる。そして信号品質は、次の様に計算することができる。
信号品質（ＳＱ）＝[(＜Q_weight＞/255)*(Q/255)]+
[(＜AvgQ_weight＞/255)*(AvgQ/255)]
【００４３】
付けられた優先順位（と、最上位の優先順位を持つ放送用信号に対する信号品質）は、デューティサイクルの時間を放送用信号の裏側スキャンに、アルゴリズム的に割り当てるのに使用される。本発明の一実施形態では、完全なデューティサイクルに対する総時間は次のように表される。
Tcycle = [(Atime*10mS)*Acount] + [(Btime*10mS)*Bcount] +
[(Ctime*10mS)*Ccount] + [(Dtime*10mS)*Dcount]
ここで、変数Atime，Btime，Ctime，Dtimeは、各放送用信号がスキャンされる時間に関し（時間変数）、変数Acount，Bcount，Ccount，Dcountは、デューティサイクル内でスキャンされる４つの優先順位各々の放送用信号の数である。一実施形態において、時間変数は、優先順位のグループの各放送用信号がスキャンされる間、多様な１０ｍＳを示すだろう。この期間によって、各放送用信号からの補助的放送用データを信号品質を計算するために集めることが可能になる。各優先順位に対する時間変数は、異なる地理的な位置において異なる（例えば、北米と欧州では、周波数の密度と割り当てが異なるので）。以下の表で与えられる時間変数の値は、実験による試験から有用であるように決定された。
【表２】
2007020165.tif 000004
【００４４】
計数変数は、各優先順位の周波数の数を表しており、各デューティサイクルの間スキャンされるものである。優先順位は、下がる方向にまたは優先順位ＡからＤへ、周期的にスキャンされる。計数変数に対する以下の表中の値は、実験による試験を通して、北米と欧州において有用であるように決定された。
【表３】
2007020165.tif 000005
【００４５】
従って、１サイクルの総時間は、次の様に計算することができる。
【００４６】
欧州に対して：(300mS*6)+(300mS*4)+(150mS*4)+(80mS*4)=4520mS
北米に対して：(300mS*6)+(4000mS*4)+(150mS*4)+(80mS*4)=26720mS
【００４７】
上述したように、各放送用信号に関するデータと、その付けられた優先順位とは、メモリ内で保存することができる。システムは、各優先順位グループＡ〜Ｄからの放送用信号を“計数変数（count変数）”回だけスキャンすることができる。優先順位ＢとＣとＤの放送用信号は、順番にスキャンすることができる（例えば、最低位から最高位の周波数へ）。しかし、Ａの優先順位リストからの放送用信号は、信号品質の順にスキャンすることができる。表側の放送用信号（常に優先順位Ａ）は、各サイクルに１回スキャンされ、典型的には最初にスキャンされる。最も望ましい代わりの放送用信号（例えば、残りの全周波数の最上位の信号品質の値を持ったＡリスト中の周波数）は、各サイクルでスキャンされ、典型的には２番目にスキャンされる。Ａリストの中の２番目に望ましい代わりの放送用信号（信号品質によって再び並べられる）は、各サイクルでスキャンされ、典型的には３番目にスキャンされる。
【００４８】
Ａリストの残りの放送用信号は、順番にスキャンされる（例えば、最低位から最高位の周波数へ）。もしＡリスト全体が１つのループ内でスキャンできなければ、残りの放送用信号のスキャンは、次のループ内に続く。放送用信号は、典型的には、同じループ内で２度はスキャンされない。“計数変数Ａ”個の周波数がスキャンされた後、ＢとＣとＤの優先順位の“計数変数Ｂ”と“計数変数Ｃ”と“計数変数Ｄ”の周波数がスキャンされる。各ループに対して、優先順位リストＢとＣとＤ内の放送用信号は、典型的には昇順でスキャンされる（例えば、周波数）。
【００４９】
長時間にわたる信号品質における変化も観察可能であり、相対的な優先順位を放送用信号に割り当てる際の因数として使用可能であることに注意したい。増加する信号品質の値を持つと決定される放送用信号は、相対的に高い優先順位を割り当てることができ、その結果、相応した長いスキャン時間を受け取ることができる。そのような訳で、本発明は、例えば特定のプログラムを搬送する、次に望ましい利用可能な放送用信号を“予示”することができる。
【００５０】
上述したように、各放送用信号に関するデータと、それに割り当てられた優先順位が、メモリ内に保持される。システムは、各優先順位のグループＡ乃至Ｄからの“計数変数”の数だけの放送用信号をスキャンすることができる。優先順位ＢとＣとＤの放送用信号は、順番に（例えば、最低位から最高位の周波数）スキャンすることができる。しかし、Ａの優先順位のリストからの放送用信号は、信号品質の順にスキャンすることができる。表側の放送用信号（常に優先順位Ａ）は、各サイクルに１度スキャンされて、典型的には最初にスキャンされる。最も望ましい代わりの放送用信号（例えば、残り全ての周波数の内で信号品質が最高の、Ａリスト中の周波数）は、各サイクルでスキャンされ、典型的には２番目にスキャンされる。Ａリスト中で２番目に最良の代わりの放送用信号（再び信号品質に応じて並べられる）は、各サイクルでスキャンされ、典型的には３番目にスキャンされる。
【００５１】
図１Ａは、ＲＤＳ標準で説明されているものよりも短い間隔で放送用信号をスキャンし特徴付ける方法１００ａを示している。裏側スキャンは、そのような信号の範囲内、例えばＦＭ周波数帯域内で受信可能な全ての周波数の、最低位の放送用信号で始まる＜１１６＞。その後、放送用信号は、そのような信号の範囲から選択される＜１１８＞。次に、その選択された放送用信号は、受信され＜１２０＞、放送用信号に関するパラメータが決定される＜１２２＞。例えば、パラメータには、特定の場所（例えば、ある所定の周波数）において放送用信号が存在するか、また信号の強度、また放送用信号中の補助データ（例えば、ＲＤＳデータ）が存在するか、また補助データ誤り率が含まれ得る。パラメータには、さらに、放送用信号に関連する補助データの値、例えば、ＰＩ，ＰＳ，ＰＴＹ，ＡＦ，ＴＰ／ＴＡ，ＴＭＣ，ＲＴが含まれ得る。
【００５２】
次に、優先順位は、決定されたパラメータに基づいて放送用信号に割り当てられる＜１２４＞。割り当てられた優先順位は、放送用信号に割り振られるスキャン時間の量を決定するのに使うことができる。
【００５３】
各放送用信号に対するパラメータと割り当てられた優先順位は、データベースとして構成されるメモリ内に保存される＜１２６＞。もし範囲内の最後の放送用信号まで達しなければ＜１２８＞、スキャンは、間隔の分だけインクリメントされ＜１３０＞、次の放送用信号が選択されて本方法が繰り返される。方法１００ａを循環的に繰り返すことにより、受信可能な各放送用信号に関するパラメータを長期に渡って更新することができる。インクリメント段階＜１３０＞における間隔の決定を、以下に述べる。
【００５４】
本方法１００ａ内の、或る間隔でスキャンをインクリメントする段階＜１３０＞は、様々なやり方で実行することができる。いくつかの地理的な場所において、放送用信号は、１００ｋＨｚよりも小さい間隔で見付けることができる。ＲＤＳ標準は、放送に関する情報を１００ｋＨｚ未満の間隔で直接提供することはない（以降、“縮小間隔放送”と呼ぶ）。しかし、補助放送用データから放送間隔に関して推測をすることは可能である。
【００５５】
図３は、放送間隔を決定する方法＜３００＞である。放送用信号が受信されて＜３１０＞、放送間隔に関するパラメータが決定される＜３２０＞。これは周期的に行われることが可能であり、またはシステムの開始時のような他の時に実行されることも可能である。決定されたパラメータに基づいて、スキャン間隔が選択される＜３３０＞。
【００５６】
パラメータの中には、放送用信号から或いは、放送間隔を決定するのに使用できる補助放送用データから決定された広い範囲の情報を含んでいよう。一実施形態において、ＲＤＳデータは、典型的にはプログラム識別子（ＰＩ）の第１セグメントである国別コード（ＣＣ）を検出するために、あるいは拡張型国別コード（ＥＣＣ）を検出するために、スキャンすることができ、またいくつかのＣＣ及びＥＣＣは縮小間隔放送に関連している可能性がある。そのようなＣＣ或いはＥＣＣを持った放送用信号の閾値の数を検出することは、スキャン間隔を選択するのにも使用することができる。
【００５７】
例えば、イタリアは、５０ｋＨｚの間隔で放送ができることが知られる管轄区域である。１６ビットのＲＤＳ  ＰＩコード構造は、放送の地理的位置を決定するのに使用することができる。欧州では、各国が、国別コード（ＣＣ）と呼ばれる識別子を割り当てられ、それはＰＩコードの最初の文字である。加えて、同じＰＩコードの識別子が多数の国により使用されるときには、地理的な位置を識別する拡張型国別コード（ＥＣＣ）が放送される。例えば“５”で始まるＰＩコードは、イタリアとヨルダンとスロバキアに関する。しかし、もしＰＩが“５”で始まり、その放送のＥＣＣが“Ｅ０”ならば、その様相の地理的な位置はイタリアである。しかし、ＥＣＣコードが、送信されたＲＤＳデータ内で常に利用可能な訳ではなく、従って様々な検出の閾値を使用することができる。“イタリアの”ＣＣを持つ２つ或いはそれ以上の放送用信号に検出の閾値を設けることによって、イタリア国内、またはイタリアの５０ｋＨｚの放送の範囲内にあってイタリアに境界を接する地域のシステムは、５０ｋＨｚのスキャン間隔を選択することができる。５０ｋＨｚのスキャン間隔を選択することによって、５０ｋＨｚ間隔で裏側スキャンができる。１つのイタリアのＣＣ及び１つのイタリアのＥＣＣの検出閾値を設定することで、同じ機能を持たせることができる。他の条件を、スキャン間隔を選択する際に使用することができる、例えば：表側チューナーで受信したＰＩまたはＥＣＣコードがイタリアの放送用信号を表しているか；或いはシステムのプリセット内に保存されるイタリアを暗示するＰＩの百分率が、保存されているＰＩの全数の７５％より多いか；或いは最も最近に受信した表側チューナー内に保存されるＰＩコードがイタリアの放送用信号としてあり得るものを表しているか；或いは裏側のデータベース内に保存されたイタリアを示すと思われるＰＩの百分率が、受信可能な放送用信号の数の２０％よりも多いか；或いは所定の時間内に受信された１つ又は２つ以上のＰＩが、イタリアの放送用信号としてあり得るものを表しているかなどである。時間平均を取った信号品質あるいは放送用信号の信号強度のような他の因子も、決定の中に含まれるだろう。
【００５８】
本システムは、地理的な位置の決定に基づいて、スキャン間隔を選択することもできる。例えば、全地球測位システム（ＧＰＳ）データや、ＲＤＳ時間データ（ＣＴ）や、他の位置を示すデータを、ある特定の場所または地理的な地域を決定するのに使用することができる。ＧＰＳデータは、例えばナビゲーションシステムから得ることができ、システムはナビゲーションシステムに結合することができる。代わりに、ユーザーは、ある特定の場所または地理的な地域をシステムに指定することができる。
【００５９】
本システムは、受信した放送用信号に関する情報の表示はもちろん、それだけでなく信号処理や音声出力や同調パラメータ（例えば、帯域の範囲、帯域幅、間隔／段階の大きさ）を、例えば地理的な決定或いはスキャン間隔に応じて変更することができる。例として、図１０は、１００ｋＨｚ放送間隔に置ける信号の放送を示すシステム表示部１００２と、５０ｋＨｚ放送間隔における信号の放送を示すシステム表示部１００４を示している。
【００６０】
データベースを更新し、正確なデータを確実に保存するために、本システムは、データベースからの入力を動的に消去することができる。図４を参照すると、本システムは、データベース入力に関連するパラメータを評価する＜４１０＞。本システムは、データベースの入力が正しいかどうかを決定し＜４２０＞、もし入力が不正であると決定されると、本システムは、その入力を変更する＜４３０＞。段階４２０におけるパラメータは、例えば、受信可能な放送用信号が低い優先順位に留まっている時間でも良い。もし、放送用信号が、低い優先順位に、例えば５０スキャンサイクルより多く留まっていると、その放送用信号に対するデータベースの入力は、データベースから消去することができる。段階４１０におけるパラメータには、受信したＰＩやＣＣやＥＣＣが、保存したデータベース入力と衝突するような状況も含まれ得る。他の場合に、もしデータベースに、特定のスキャン間隔（例えば、５０ｋＨｚ）における放送用信号に対する入力が含まれ、本システムが現在、異なるスキャン間隔（例えば、１００ｋＨｚ）でスキャンしているならば、本システムは、関連するデータベースの入力を消去することができる。
【００６１】
本システムは、保存した補助的放送用データを確認する段階と訂正する段階とを実行することもできる。これは、本システムが縮小間隔放送をスキャンしている時には、特に重要である。例えば、スキャンした信号の補助的放送用データが、接近した隣接する放送用信号から染み通る信号（bleed-through:染み通る、あるいはbleed-over:染み渡る、信号と呼ぶ）の結果であるかも知れず、これによってシステムは、スキャンした放送用信号を表側の放送用信号の代わりの信号と誤って識別することもある。翻って、これによって、本システムは、例えば、裏側でスキャンされた放送用信号を、現在同調している放送用信号の可能性のある代わりの信号（すなわち、同じプログラムデータを持っている）であると不正確に識別するかも知れない。この結果、本システムは、表側の放送用信号から、真に代わりのものではない第２の放送用信号へと、同調を切り替えることもある。これに対処するために、本システムは、染み通るデータを突き止めて、対応する不正なデータベース入力を消去することができる。図５を参照すると、一実施形態において、放送用信号をそれぞれスキャンした後、放送用信号は流出の基準に対して検査される。例えば、放送用信号は、関連する補助的放送用信号が、潜在的に表側信号の代わりとなるものであることを示しているかどうかを決定するために検査されることもある。放送用信号は、また、トラフィックの報告又はある音楽の種類や分野又は或る局や音楽家のような、ユーザーの望むプログラムデータを持っているかどうかも検査され得る。これらの決定は、補助的放送用データをスキャンすることで行うことができるし、あるいは補助的放送用データを処理することによって行うことができる。
【００６２】
もし、本システムが放送用信号が検査されるべきだと決定すると、検査される放送用信号のデータベースのパラメータは、隣接する放送用信号のパラメータと比較される＜５２０＞。比較されるパラメータの中には、ＰＩデータベースとＲＦレベルと時間平均を取った信号品質が含まれる。信号処理とアルゴリズム的フィルター処理を展開するシステムにおいて、停止ビットデータや、チャネルの中心上のデータや、雑音比などの他のパラメータが利用可能であり、隣接する放送用信号の正当性を決定する＜５２０＞のに使用することができる。比較に基づいて、本システムは、検査した放送用信号に対するデータベースの入力が正確であるかどうかを決定し＜５３０＞、それに従って入力を変更する＜５４０＞。変更には、入力を修正することや、入力を消去することが含まれる。
【００６３】
染み通ったデータは、表側信号の同調にも影響し得る。不正確なパラメータによって、本システムは、例えば希望するものと異なるプログラムデータを持った信号に同調させることがある。データベース入力を検査し修正することに加えて、本システムは、表側信号を検査して、それに関連するパラメータの正確さを確認することができる。
【００６４】
図６を参照すると、縮小スキャン間隔において、染み通る機会がより多いことから、本システムは、縮小間隔でスキャンをしているかどうかによって異なる検査を与えることができる。もし縮小間隔でスキャンをしていない場合、表側信号と可能性のある代わりの信号６７０に関連するパラメータ間の比較、例えばＲＦレベルの比較あるいは時間平均を取った信号品質の比較は、代わりの信号へ切り替えるかどうかを決定するのに使用することができる＜６７０＞。もし、本システムが縮小された間隔でスキャンをしていると、本システムは、代わりの信号が表側信号に隣接して存在するかどうかを決定することができる＜６２０＞。もし、本システムが縮小された間隔でスキャンをしていないと、本システムは、検査６７０を適用するが、もし上記スキャンをしていれば、本システムは、表側の周波数が縮小された間隔の位置、例えばイタリアの５０ｋＨｚオフセットにあるかどうかを決定することができる。
【００６５】
その後、本システムは、表側信号と潜在的な代わりのものを比較して、決定の結果によって＜６３０＞、本システムは、因子を適用して比較の結果を明確にする。もし表側信号が縮小間隔の位置にあれば＜６５０＞、本システムは、ヒステリシス因子Ｙを適用し、もし表側信号が縮小間隔の位置になければ＜６４０＞、本システムは、ヒステリシス因子Ｘを適用することができる。染み通ったことにより、不正確なデータベースを持つ機会及び同様な事象は、本システムが縮小間隔でスキャンを実行する際に、より大きなものとなる。また、染み通ったことにより不正確なデータベースを持つ機会は、大きな放送間隔におけるよりも縮小間隔において、より大きく、従って必要ではないけれど、異なるＸとＹは、匹敵する信号品質を備えた、２つの近くに置かれた代わりの放送信号間での散発的な切り替わりを最小化するだろう。概して、適用されるヒステリシス因子Ｘ＞Ｙである。他の基準は、放送用信号のＲＦレベルのように、段階６４０，６５０，６７０で使用することができる。
【００６６】
図７は、表側信号に関連したパラメータの正確さを確認する追加の方法を示している。本システムは、例えば、染み通りや信号の混変調や同一チャネルの干渉やマルチパス効果や貧弱な短期間の信号強度のせいで不正確な受信済み補助的放送用データによって表側信号が希望しない切り替わりをするのを減らすために、表側信号に対するパラメータの履歴を一定の間保存する。例えば、もし表側信号プログラムデータが変化すれば、関連するＰＩは、同様に変化し、その変化がきっかけとなって代わりの放送信号へ切り替えが起こる可能性がある。しかし、本システムは、データベースを更新する前に、ある一定の間、新しいＰＩコードを一貫して受信することを必要とする。
【００６７】
従って、本システムは、表側信号を受信して、関連するＰＩを決定する＜７１０＞。そして、受信したＰＩを、保存している履歴のＰＩデータと比較する＜７２０＞。その比較に基づいて、本システムは、現在、表側信号と関連しているＰＩが更新されるべきかどうかを決定する＜７３０＞。本システムは、新しいＰＩが、更新の前に、単位時間当たりに、ある閾値の数の回数だけ発生するのを要求するかも知れない。また、新しいＰＩが、更新の前に、単位時間当たりに、ある連続的な回数だけ発生するのを要求するかも知れない。そして、本システムは、必要ならば、割り当てられたＰＩを更新する。
【００６８】
本システムは、無線同調パラメータと音声の復号と音声処理パラメータを、補助的放送用データに基づいて調整することができる。例えば、本システムは、放送プログラミングの種類を推測することと、音声と同調のパラメータをそれに従って調整することの基として補助的放送データを使用することができるが、上記の調整にはＭ／Ｓビット（音楽／発話ビットであって、プログラム種別の指標）またはＰＴＹコードまたはＲＤＳデータまたは処理済みＲＤＳデータの設定が含まれる。適切な補助的放送データ或いは処理済み補助的放送データは、いずれもこの目的に使うことができるが、放送の材料で動的に変化するデータが使われていると、システムの性能を改善することができ、ここでＰＴＹはしばしばこのやり方で放送される。例えば、プログラムによっては、低音を増大させて放送されるが、これはある音楽の分野の魅力を増やすかも知れないが、報道やおしゃべりラジオ番組や道路警報などの音声だけのプログラムが大部分低音過多に響く可能性がある。本システムは、音声プログラミングを検出して、音声出力を適切に改善するようにシステムのパラメータを調整することができる。本システムは、Ｍ／Ｓビット或いはＰＴＹコードを復号して、それに基づいてプログラム種別を決定することができる。もし適切であれば、本システムは、低域遮断フィルターなどのフィルタリングを施したり、信号に含まれる低音の量を減らす信号処理を用いることにより、音声出力の質を改善することができる。
【００６９】
ここまで、本明細書では、システムの機能を可能にするために、処理と満足なデータ保存を満たすように、充分なシステムメモリが存在することを前提としてきた。しかし、空間的な制約や他の制限によって、利用可能なシステムメモリに限界があるかも知れない。これによって、受信可能な全ての放送用信号からのデータを集めることができる訳ではない、特に縮小間隔でスキャンする時にはそうであり、スキャン間隔が小さくなれば、それだけ所定の放送スペクトラム内の可能性のある放送信号の数は多くなる。上述した方法は、メモリに限定のあるシステムに適用することができる。
【００７０】
例えば、スペクトラム全体を横切って索引付けされる５０ｋＨｚの放送用信号のデータベースが必要とするメモリの大きさを減らすために、制限のあるメモリを持つ本システムでは、索引を１００ｋＨｚの間隔で保存して、受信可能な信号のグループの中から選択をする。図８に描かれた方法を参照すると、最低位の周波数から始まり＜８１０＞、本システムは、第１の受信可能な放送用信号をスキャンし＜８２０＞、仮のデータ位置に放送用信号に関するパラメータを決定して保存する＜８３０＞。その後、本システムは、第２の受信可能な放送用信号を第１の放送用信号の間隔分だけ、例えば５０ｋＨｚだけ増やしてスキャンし＜８４０＞、仮のデータ位置に第２の放送用信号に関するパラメータを決定して保存する＜８５０＞。そして、本システムは、２つの放送用信号からのパラメータを比較して＜８５０＞、その比較に基づいて１つの信号からデータを選択して例えばデータベース内に保存する＜８７０＞。それから本システムは、１００ｋＨｚ増やして、スキャンのサイクルを継続する＜８８０＞。
【００７１】
決定されたパラメータには、信号がスキャンされた回数や、ＲＤＳの質の移動平均や、即時平均のＲＤＳの質や、信号品質や、ＲＴの優先順位の、抽出されたか割り当てられた値に加えて、ＰＩｙＴＰやＴＡやＡＦやＲＴやＴＭＣやＰＴＹやＲＥレベルに対する値が含まれる。いずれかの有用なパラメータの比較は、受信した放送用信号から一つを選ぶのに使用することができる。例えば、もしユーザーがトラフィックの報知やプログラムの分野や特定のアーティストに対する好みを示せば、ユーザーの好みは同様に考慮される。
【００７２】
図９は、システム資源を保存する手段の代わりのものを示している。本システムは、受信可能な放送用信号をスキャンし、それらの放送用信号をパラメータに基づいて、例えばＳＱあるいはＲＦレベル閾値に基づいて２つの分野に分類する。その閾値を下回るそれらの信号は、例えば分類１に分類され、閾値を上回るものは分類２に分類されることが可能である（システム初期化時には、全ての信号は、デフォルトで分類１になる）。分類２の放送用信号は、より大きな分担のシステム資源を受けることができる。各分類１の放送用信号は、閾値に合っているかを定期的にスキャンして決定され、もし合っていれば、その放送用信号は、分類２へ進められる。分類１と分類２の放送用信号のスキャンは、交互になされる＜９１０＞こと、或いは、それぞれが他の実行前に繰り返されたり数回実行されることが可能であり、どのような組み合わせやパターンでも実行が可能である。
【００７３】
分類１の放送用信号のスキャンは、範囲内で最低位の受信可能な放送用信号から始まる＜９２０＞。受信可能な分類１の放送用信号の各々が選択され＜９２５＞、その放送用信号がスキャンされ、それに関するパラメータが決定される＜９３０＞。例えばＳＱ或いはＲＦレベルなどの、決定されたパラメータに基づいて、割り当てられた分類が分類２に更新されたり、分類１に留まったりし＜９３５＞、パラメータと割り当てられた分類がデータベースに保存される＜９４０＞。そしてスキャンは、１００ｋＨｚ増やされ、サイクルが放送の範囲の最後まで繰り返される。
【００７４】
同様に、分類２の放送用信号のスキャンが、受信可能な最低位の放送用信号から始まる＜９５０＞。第１の受信可能な分類２の放送用信号が選択される＜９５５＞。本システムは、選択された放送用信号をスキャンし＜９６０＞、その放送用信号に関するパラメータを決定して、仮のデータ位置に保存する＜９６５＞。そして、本システムは、第２の受信可能な放送用信号を前の周波数より大きい５０ｋＨｚでスキャンして＜９７０＞、その第２の信号に関するパラメータを決定して保存する＜９７５＞。その後、本システムは、そのデータを比較して＜９８０＞、その比較に基づいて信号の一つからデータを選択して保存する＜９８５＞。決定されたパラメータに基づいて、割り当てられた分類が更新される＜９９０＞。そして、本システムは、１００ｋＨｚ増やされ、スキャンサイクルを続ける＜９９５＞。
【００７５】
以上、多くの利点を持った新規な装置と手法を説明してきた。進歩性を有する考えから逸脱することなく、当業者ならば必然的に、ここに開示された特定の装置と手法から出発することができることは明らかであり、本発明は、ここに開示される全ての新規な各特徴と特徴の新規な組み合わせを包含しており、添付の特許請求の範囲の趣旨と範囲によってのみ限定されるものである。
【図面の簡単な説明】
【００７６】
【図１】放送用信号をスキャンし特徴付ける方法の流れブロック図である。
【図１Ａ】ＲＤＳ標準で設定されるよりも小さな間隔で放送用信号をスキャンし特徴付ける方法の流れブロック図である。
【図２】放送用信号に付けられた優先順位を決定するために実行することのできる試験の表である。
【図３】放送の間隔を決定する方法の一例の図である。
【図４】動的にデータベースエントリーを更新する方法の流れブロック図である。
【図５】流出したデータを検出し、データベースの誤った対応するエントリーを消去する方法の流れブロック図である。
【図６】関連するパラメータの正確さを確かめるために、表側の信号を試験する方法の流れブロック図である。
【図７】表側の信号に関するパラメータの正確さを確かめる追加的方法の流れブロック図である。
【図８】間隔を狭くした放送用信号に索引を付ける方法の流れブロック図である。
【図９】間隔を狭くした放送用信号に索引を付ける別の方法の流れブロック図である。
【図１０】ユーザーインターフェイスの一例を示す図である。
【符号の説明】
【００７７】
１００２，１００４…表示部
【図１】
2007020165.tif 000006
【図１Ａ】
2007020165.tif 000007
【図２】
2007020165.tif 000008
【図３】
2007020165.tif 000009
【図４】
2007020165.tif 000010
【図５】
2007020165.tif 000011
【図６】
2007020165.tif 000012
【図７】
2007020165.tif 000013
【図８】
2007020165.tif 000014
【図９】
2007020165.tif 000015
【図１０】
2007020165.tif 000016